(57)【要約】【課題】  リードのピッチへの対応が可能なＩＣソケットを提供する。【解決手段】  ２方向端子ＩＣ用のソケットであって、２つの対向する測定用端子群と、前記端子群のピッチを可変にするための伸縮構造とを備えたことを特徴とするＩＣソケット。また測定用端子群に付随するＩＣの実装位置ズレ防止構造を備えたことを特徴とするＩＣソケット。また２つの対向する測定用端子群間の間隔を調節する構造を備えたことを特徴とするＩＣソケット。【選択図】      図５
2008008775.tif 000002
【特許請求の範囲】
【請求項１】
２方向端子IC用のソケットであって、
２つの対向する測定用端子群と、
前記端子群のピッチを可変にするための伸縮構造とを
備えたことを特徴とするICソケット。
【請求項２】
前記伸縮構造はパンタグラフ構造であることを特徴とする請求項１に記載のICソケット。
【請求項３】
前記２つの対向する測定用端子群間の間隔を調節する構造を備えたことを特徴とする請求項１に記載のICソケット。
【請求項４】
ICパッケージの高さに対応する押さえ構造を備えたことを特徴とする請求項１に記載のICソケット。
【請求項５】
前記測定用端子群に付随するICの実装位置ズレ防止構造を備えたことを特徴とする請求項１に記載のICソケット。
【請求項６】
前記ズレ防止構造は錐形であることを特徴とする請求項５に記載のICソケット。
【発明の詳細な説明】
【技術分野】
【０００１】
本発明は、特に２方向端子ICを測定するためのソケットに関する。
【背景技術】
【０００２】
ICのサイズに対応するICソケットが使われてきている。例えば特許文献１にあるものは、相対移動可能な４つのベースが組み合わさって構成され、ネジによって連結してICのリード数あるいは形状に応じて調整するというものである。しかしながら対象となるICはQIP(Quad Inline Package)に限られ、リードのピッチへの対応もできないという問題があった。
【特許文献１】特開平４−７６４７１号公報
【発明の開示】
【発明が解決しようとする課題】
【０００３】
本発明は、リードのピッチへの対応が可能なICソケットを提供することを目的とする。
【課題を解決するための手段】
【０００４】
上記課題を解決するために、本発明のICソケットは２方向端子IC用のソケットであって、２つの対向する測定用端子群と、前記端子群のピッチを可変にするための伸縮構造とを備えたことを特徴とする。
【発明の効果】
【０００５】
本発明によれば、リードのピッチへの対応が可能なICソケットが得られる。
【発明を実施するための最良の形態】
【０００６】
以下、本発明の実施例を説明する。
【実施例１】
【０００７】
本発明による実施例１を図１乃至図７を参照して説明する。図１は、この発明の一実施例を示す端子可動部平面図である。
図１（ａ）は端子可動部（左側）であり、概略を示す測定端子ピッチ調節（可動）機構Ａの言わばパンタグラフ構造上に絶縁板Ｂが回動・摺動軸Ｃにより結合されている。また絶縁板Ｂの右端上に導体である測定用端子Ｄが取付けられている。このパンタグラフ構造については以下に述べる。回動・摺動軸Ｃは例えばハトメのようなものであり、絶縁板Ｂに対して左右に摺動し伴って測定端子ピッチ調節機構Ａをその端を中心に回動するよう構成されている。図１（ｂ）は端子可動部（右側）であり、実体は（ａ）とは面対称な構造となっている。
【０００８】
測定用端子Ｄは図１全体では３対示してあるがこれらは測定対象の表面実装型2方向端子パッケージの各ピンに夫々接触するためのものであり、数ピン間隔で，絶縁物でできたリード脱落防止ガイドＥが測定端子ピッチ調節機構Ａの上に取り付けられている。
【０００９】
図２は、実施例の端子可動部正面図である。脱落防止ガイドＥの載面において面端子可動部（左側）と端子可動部（右側）とを示している。リード脱落防止ガイドＥは例えばおよそ円錐形の形状である。
【００１０】
図３は、実施例の端子可動部平面図である。測定端子ピッチ調節機構Ａのうち６本の板を示している。白丸が回動・摺動軸Ｃの位置を示し、黒丸がリード脱落防止ガイドＥの位置を示す。黒丸の位置にも補強のため回動軸があってもよい。このとき回動軸自体は回転せず図１の測定端子ピッチ調節機構Ａの矢印移動方向に平行移動するような構造としリード脱落防止ガイドＥは測定端子ピッチ調節機構Ａではなくこの回動軸に取り付けるものとしてもよい。更にこのときリード脱落防止ガイドＥは例えばおよそ四角錐形の形状にしてもよい。円錐よりも操作性が向上することもある。あるいは中間形状でもよい。
【００１１】
図４は、実施例の端子可動部斜視図である。２本の板の構成を示している。図３の黒丸の位置で重なっている。図２で概略を示した測定端子ピッチ調節機構Ａの高さはおよそこの２本の板の高さを加えたものである。
【００１２】
図５は、実施例の端子可動部ガイド平面図である。外枠の中にこれまで述べた端子可動部が収められており、以下に述べる部品押さえ蓋がこの上に取り付けられる。
パッケージ幅調節つまみＦは、表面実装型2方向端子パッケージの幅に対応させて端子可動部（左側）Ｒ（１）と端子可動部（右側）Ｒ（２）との間隔を調節するためのもので、調節後はパッケージ幅調節固定ネジＨで締めることができるよう構成されている。ピッチ調節ネジＪは、手で回すことによりピッチ調節用機構Ｋを矢印方向に動かすためのものであり、例えばピッチ調節用機構Ｋからは離れなくまた外枠にはねじ込みの構造となっている。
【００１３】
パンタグラフ構造について説明する。パンタグラフ(pantograph、菱形)は鉄道車両の給電に用いられる部品であるが、下枠交差型という車両側面方向から見て菱形の下部を交差させた形状のものが多く使われてきた。即ち、給電側は枠が一点に収束し車両側は枠が開いている。図５のRに示す構造も交差の繰り返しはあるものの同様な構造である。測定端子ピッチ調節Aの板が一点に収束している側は固定面において他の板の概ね半分の長さの板が回動するような構造で、板が開いている側は可動面に沿って摺動するような構造である。なお、どちらの面でも回動するような構造にしてもよいし、どちらの面でも摺動するような構造にしてもよい。各板の交差と交差の間の上側には絶縁板Ｂがあり、絶縁板Ｂと測定用端子Dの数は対象とする表面実装型2方向端子パッケージの最大リード数に対応できるように構成されている。
【００１４】
図６は、実施例の部品押さえの図である。（a）は正面図であり、部品押さえ蓋Iに端子押さえ位置調整つまみＬに取り付けられた端子押さえ高さ調節ネジＭで端子押さえ（パッケージ押さえ）Ｎの出方を調節するように構成されている。(b)は平面図であり、端子押さえ位置調節レールＰに沿って端子押さえ位置調整つまみＬを左右に移動させることができる。端子押さえ高さ調節ネジＱは端子押さえ高さ調節ネジＭに連なり端子押さえ（パッケージ押さえ）Ｎの出方を調節するための部分である。
【００１５】
図７は、実施例の全体構成図である。外枠を正面から見た図であるが、A,B,Dが見えるように外枠の一部を省いてある。外枠に部品押さえが、部品押さえ蓋Iの端で回動する構造で取り付けられている。パッケージ幅調節レールＧに沿って左右にパッケージ幅調節つまみFを動かすことができる。
【００１６】
対象とする表面実装型2方向端子パッケージに合わせた動作を説明する。パッケージの高さに対しては端子押さえ高さ調節ネジMを回し、幅にたいしてはパッケージ幅調節つまみFをスライドさせる。なおこれに合わせて適宜端子押さえ位置調整つまみLをスライドさせる。また、リードのピッチにたいしてはピッチ調節ネジJを回して調節する。測定端子ピッチ調節機構Ａの端を図１の矢印方向に動かすことにより、絶縁板Ｂひいては測定用端子Dの間隔が調節される。
【００１７】
以上可動式２方向端子測定ソケットであり、ICの長さ・幅・高さ・ピッチに対応可能であり以下のような特徴がある。
１．パンタグラフ構造「Ａ」上に絶縁板「Ｂ」を介して測定端子「Ｄ」を結合し，ピッチ調節ネジ「Ｊ」でピッチ間隔を設定することにより，どのピッチ間隔の部品にも使用できる。
【００１８】
２．パンタグラフ構造「Ａ」上のリード端子・パッケージ横押さえ「Ｅ」により、部品端子と測定端子「Ｄ」との位置ズレを防止することができる。
３．パッケージ幅調節レール「Ｇ」に沿ってパッケージ幅調節「Ｆ」を左右の動かすことにより，測定端子幅を変更することができ、どのパッケージ幅の部品でも使用可能となる。尚パッケージ幅固定ネジ「Ｈ」で固定することができる。
【００１９】
４．端子数を多く搭載できる端子可動部「Ｒ」にすれば，どのパッケージ長および端子数の部品にも対応可能である。
５．端子押さえ（パッケージ押さえ）[Ｎ]の位置を変更すれば、任意の位置で端子およびパッケージを押さえることができる。またパッケージを押さえることにより、リードレス部品の測定も可能となる。
【００２０】
６．端子押さえ高さ調節ネジ「Ｑ」を調節することにより、どのパッケージ厚部品の測定も可能となる。
２方向に測定端子のでている部品は，パッケージ厚み，幅，長さ，測定ピンピッチ，測定ピン数が異なっていても，全てこのソケットで測定が可能となる。またリードレスタイプの部品の測定もできる。
【００２１】
なお、この発明は上記実施例に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００２２】
【図１】この発明の一実施例を示す端子可動部平面図。
【図２】同実施例の端子可動部正面図。
【図３】同実施例の端子可動部平面図。
【図４】同実施例の端子可動部斜視図。
【図５】同実施例の端子可動部ガイド平面図。
【図６】同実施例の部品押さえ蓋正面図及び平面図。
【図７】同実施例の全体構成図。
【符号の説明】
【００２３】
Ａ  測定端子ピッチ調節（可動）機構
Ｂ  絶縁板
Ｃ  回動・摺動軸
Ｄ  測定用端子
Ｅ  リード線・パケージ押さえ（測定端子とのズレ防止）
Ｆ  パッケージ幅調節つまみ
Ｇ  パッケージ幅調節レール
Ｈ  パッケージ幅調節固定ネジ
Ｉ  部品押さえ蓋
Ｊ  ピッチ調節ネジ
Ｋ  ピッチ調節用機構
Ｌ  端子押さえ位置調整つまみ
Ｍ  端子押さえ高さ調節ネジ
Ｎ  端子押さえ（パッケージ押さえ）
Ｐ  端子押さえ位置調節レール
Ｑ  端子押さえ高さ調節ネジ
Ｒ  端子可動機構
【図１】
2008008775.tif 000003
【図２】
2008008775.tif 000004
【図３】
2008008775.tif 000005
【図４】
2008008775.tif 000006
【図５】
2008008775.tif 000007
【図６】
2008008775.tif 000008
【図７】
2008008775.tif 000009